(57)【要約】【課題】    本発明の目的は、塩素を注入するに際し、新たな電源を必要することなく、地下水に塩素水を供給することができる塩素滅菌装置を提供するものである。【解決手段】    塩素滅菌装置Ｓは、ポンプにより地下水をくみ上げ、塩素水で滅菌する塩素滅菌装置Ｓであって、塩素水を貯留する塩素水タンク１と、一端は塩素水タンク１に、他端は前記ポンプの吸い込み側に接続された塩素水通路２と、塩素水通路２の外側から塩素水通路２を押圧して、塩素水通路２の通路面積を可変に調整する塩素水調整手段３とを備え、押圧する塩素水通路２の部位は、少なくとも、変形自在な部材で形成されているものである。【選択図】図２
2018008214.tif 000002
【特許請求の範囲】
【請求項１】
ポンプにより地下水をくみ上げ、塩素水で滅菌する塩素滅菌装置であって、
塩素水を貯留する塩素水タンクと、
一端は前記塩素水タンクに、他端は前記ポンプの吸い込み側に接続された塩素水通路と、
前記塩素水通路の外側から前記塩素水通路を押圧して、前記塩素水通路の通路面積を可変に調整する塩素水調整手段とを備え、
押圧する前記塩素水通路の部位は、少なくとも、変形自在な部材で形成されている
ことを特徴とする塩素滅菌装置。
【請求項２】
押圧調整手段は、垂下状態の塩素水通路の一部を収納する収納部と、手で把持するハンドルと、このハンドルに接続された雄ねじと、この雄ねじに螺合し、前記雄ねじの正逆回転を支持する雌ネジを有する本体とを備え、前記雄ねじの先端を前記収納部に収納された前記塩素水通路の外側から前記塩素水通路を押圧して、圧接量を前記ハンドルにより調整するものであり、
前記雄ねじの先端に臨み、前記収納部に連通する窪み部を有し、
この窪み部の縁部は、前記雄ねじの先端に向かって広がるテーパー部を有し、
前記雄ねじの先端を前記収納部に収納された前記塩素水通路の外側から前記塩素水通路を押圧して、この押圧による変形した前記塩素水通路を前記窪み部に位置させる
ことを特徴とする請求項１記載の塩素滅菌装置。
【請求項３】
収納部に位置する垂下状態の塩素水通路は、雄ねじの先端が塩素水通路の外側に当接しない場合にあって、塩素水通路は垂直方向に移動できるように余裕があるものであり、前記雄ねじの先端が当接する前記垂下状態の塩素水通路の部位を変更することができる
ことを特徴とする請求項２記載の塩素滅菌装置。
【請求項４】
塩素水タンクは収納ボックスに収納され、
前記収納ボックスは、外側に垂直な立設面を有し、
前記立設面を介して本体が取り付けられ、ハンドルは、前記立設面の外に位置し、
塩素水通路の中途であって、透明部材で形成された透明塩素水通路が前記垂直な立設面に並設し、
前記透明塩素水通路に接続された一方側の塩素水通路は、前記収納ボックス内に収納され、前記透明塩素水通路に接続された他方側の塩素水通路は、前記収納ボックス内に収納されると共に、中途より前記収納ボックスの外に位置してポンプの吸い込み側に接続され、
前記塩素水通路の外側から押圧する前記塩素水通路の部位は、前記塩素水通路の塩素水流れにおいて、前記透明塩素水通路より上流側に位置し、
前記ハンドルと前記透明塩素水通路が並設している
ことを特徴とする請求項２又は請求項３記載の塩素滅菌装置。
【発明の詳細な説明】
【技術分野】
【０００１】
本発明は、塩素滅菌装置に係り、特に、塩素を注入するに際し、新たな電源を必要することなく、地下水に塩素水を供給することができる塩素滅菌装置に関する。
【背景技術】
【０００２】
災害等で断水、水道施設のない地域に地下水を汲み上げ、塩素で雑菌、大腸菌等を除菌して飲料水として使用されている。
塩素を供給する際、例えば、単相１００V又は３相２００Vボルトのダイヤフラムポンプの往復運動を利用して行っている。
【発明の概要】
【発明が解決しようとする課題】
【０００３】
しかしながら、上述したダイヤフラムポンプにあっては、ダイヤフラムポンプを駆動する電気設備が必要で、電気設備がない場所では使用できないという問題点があった。
また、塩素の量を調整する手段として、極小口径の孔内を進退させるニードルバルブがあるが、極小口径の孔を塩素が通過するため、ニードルバルブが汚れ、腐食、摩耗等により、損傷し、長期間の使用に耐えにくいという問題点をあった。
【０００４】
本発明は、上記の問題点を考慮してなされたもので、新たな電源を必要することなく、地下水に塩素水を供給することができる塩素滅菌装置を提供することを目的とする。
【課題を解決するための手段】
【０００５】
請求項１記載の塩素滅菌装置は、ポンプにより地下水をくみ上げ、塩素水で滅菌する塩素滅菌装置であって、塩素水を貯留する塩素水タンクと、一端は前記塩素水タンクに、他端は前記ポンプの吸い込み側に接続された塩素水通路と、前記塩素水通路の外側から前記塩素水通路を押圧して、前記塩素水通路の通路面積を可変に調整する塩素水調整手段とを備え、押圧する前記塩素水通路の部位は、少なくとも、変形自在な部材で形成されているものである。
【０００６】
また、請求項２記載の塩素滅菌装置は、請求項１記載の塩素滅菌装置において、押圧調整手段は、垂下状態の塩素水通路の一部を収納する収納部と、手で把持するハンドルと、このハンドルに接続された雄ねじと、この雄ねじに螺合し、前記雄ねじの正逆回転を支持する雌ネジを有する本体とを備え、前記雄ねじの先端を前記収納部に収納された前記塩素水通路の外側から前記塩素水通路を押圧して、圧接量を前記ハンドルにより調整するものであり、前記雄ねじの先端に臨み、前記収納部に連通する窪み部を有し、この窪み部の縁部は、前記雄ねじの先端に向かって広がるテーパー部を有し、前記雄ねじの先端を前記収納部に収納された前記塩素水通路の外側から前記塩素水通路を押圧して、この押圧による変形した前記塩素水通路を前記窪み部に位置させるものである。
【０００７】
また、請求項３記載の塩素滅菌装置は、請求項２記載の塩素滅菌装置において、収納部に位置する垂下状態の塩素水通路は、雄ねじの先端が塩素水通路の外側に当接しない場合にあって、塩素水通路は垂直方向に移動できるように余裕があるものであり、前記雄ねじの先端が当接する前記垂下状態の塩素水通路の部位を変更することができるものである。
【０００８】
また、請求項４記載の塩素滅菌装置は、請求項２又は請求項３記載の塩素滅菌装置において、塩素水タンクは収納ボックスに収納され、前記収納ボックスは、外側に垂直な立設面を有し、前記立設面を介して本体が取り付けられ、ハンドルは、前記立設面の外に位置し、塩素水通路の中途であって、透明部材で形成された透明塩素水通路が前記垂直な立設面に並設し、前記透明塩素水通路に接続された一方側の塩素水通路は、前記収納ボックス内に収納され、前記透明塩素水通路に接続された他方側の塩素水通路は、前記収納ボックス内に収納されると共に、中途より前記収納ボックスの外に位置してポンプの吸い込み側に接続され、前記塩素水通路の外側から押圧する前記塩素水通路の部位は、前記塩素水通路の塩素水流れにおいて、前記透明塩素水通路より上流側に位置し、前記ハンドルと前記透明塩素水通路が並設しているものである。
【発明の効果】
【０００９】
請求項１記載の塩素滅菌装置によれば、塩素水調整手段により塩素水通路の通路面積を調整すれば、塩素水通路の他端はポンプの吸い込み側に接続されているため、塩素を注入するに際し、新たな電源を必要することなく、ポンプの地下水くみ上げに伴って、地下水に塩素水を供給でき、地下水を滅菌し、しかも、塩素水調整手段は、塩素水通路の外側から塩素水通路を押圧して、塩素水通路の通路面積を可変に調整するため、塩素水調整手段は、塩素水に直接接触せず、腐食による損傷を防ぐことができる。
【００１０】
また、請求項２記載の塩素滅菌装置によれば、前述した請求項１記載の発明の効果に加え、前記雄ねじの先端を前記収納部に収納された前記塩素水通路の外側から前記塩素水通路を押圧して、この押圧による変形した前記塩素水通路を前記窪み部に位置させるから、窪み部がないものに比べ、塩素水通路面積の変化をより多くとれ、塩素水の微調整を図ることができ、しかも、窪み部の縁部は、前記雄ねじの先端に向かって広がるテーパー部を有しているから、窪み部の縁部が直角のものに比べ、雄ねじの先端の押圧による塩素水通路の損傷を防ぐことができる。
【００１１】
また、請求項３記載の塩素滅菌装置によれば、前述した請求項２記載の発明の効果に加え、雄ねじの先端が当接する垂下状態の塩素水通路の部位を変更することができるため、雄ねじの先端が当接する塩素水通路の部位を一箇所に固定せず、変更することができ、雄ねじの先端が当接する塩素水通路の部位の劣化を防ぐことができる。
【００１２】
また、請求項４記載の塩素滅菌装置によれば、前述した請求項２又は請求項３記載の発明の効果に加え、透明塩素水通路に接続された一方側の塩素水通路は、収納ボックス内に収納され、前記透明塩素水通路に接続された他方側の塩素水通路は、前記収納ボックス内に収納されると共に、中途より前記収納ボックスの外に位置してポンプの吸い込み側に接続されているため、収納ボックス内に収納された塩素水通路は、収納ボックスにより保護され、しかも、ハンドルと透明塩素水通路が収納ボックスの外に並設しているため、透明塩素水通路内の塩素水の流れを見ながらハンドルを操作し、塩素水の微調整を図ることができる。
【図面の簡単な説明】
【００１３】
【図１】図１は、本発明の一実施例の塩素滅菌装置を組み込んだ収納ボックスの概略的正面図である。
【図２】図２は、図１の収納ボックスに組み込まれる塩素滅菌装置の概略的斜視図である。
【図３】図３は、図２の塩素水調整手段による雄ねじの先端を塩素水通路の外側から前記塩素水通路を押圧する前の状態を示す概略的断面図である。
【図４】図４は、図３の塩素水調整手段による雄ねじの先端を塩素水通路の外側から前記塩素水通路を押圧した状態を示す概略的断面図である。
【図５】図５は、図４の塩素水通路を押圧した部位を移動させ、前記塩素水通路を押圧した状態を示す概略的断面図である。
【発明を実施するための形態】
【００１４】
本発明の一実施例の塩素滅菌装置を図面（図１乃至図５）を参照して説明する。    図２に示すＳは、ポンプ（図示せず）により地下水をくみ上げ、塩素水で滅菌する塩
素滅菌装置で、１は塩素水を貯留する塩素水タンク、２は、一端を塩素水タンク１に、他端をポンプ（図示せず）の地下水の吸い込み側に接続された塩素水通路である。
３は、塩素水通路２の外側から塩素水通路２を押圧して、塩素水通路２の通路面積を可変に調整する塩素水調整手段である。
そして、押圧する塩素水通路２の部位Ａ（図３）は、少なくとも、変形自在な部材で形成されている。本実施例の塩素水通路２は、例えば、ビニールホース（又は、ビニールチューブ）で形成されている。
【００１５】
従って、上述した塩素滅菌装置Ｓによれば、塩素水調整手段３により塩素水通路２の通路面積を調整すれば、塩素水通路２の他端はポンプ（図示せず）の吸い込み側に接続されているため、塩素を注入するに際し、新たな電源を必要することなく、ポンプ（図示せず）の地下水くみ上げに伴って、地下水に塩素水を供給でき、地下水を滅菌し、しかも、塩素水調整手段３は、塩素水通路２の外側から塩素水通路２を押圧して、塩素水通路２の通路面積を可変に調整するため、塩素水調整手段３は、塩素水に直接接触せず、腐食による損傷を防ぐことができる。
【００１６】
なお、上述した押圧調整手段３は、垂下状態の塩素水通路２の一部を収納する収納部３１と、手で把持するハンドル３２と、このハンドル３２に接続された雄ねじ３３と、この雄ねじ３３に螺合し、雄ねじ３３の正逆回転を支持する雌ネジ（図示せず）を有する本体３４とを備え、雄ねじ３３の先端を収納部３１に収納された塩素水通路２の外側から塩素水通路２を押圧して、圧接量をハンドル３２により調整するものである。なお、図３に示す３５は、後述する立設面４１に取り付ける取付ナットであり、３６は、シール用のナットである。
図３に示す３１１は、雄ねじ３３の先端に臨み、収納部３１に連通する窪み部である（図３）。この窪み部３１１の縁部は、雄ねじ３３の先端に向かって広がるテーパー部３１１Ａを有している。
そして、雄ねじ３３の先端を収納部３１に収納された塩素水通路２の外側から塩素水通路２を押圧して、この押圧による変形した塩素水通路２を窪み部３１１に位置させる（図４）。
このように、雄ねじ３３の先端を収納部３１に収納された塩素水通路２の外側から塩素水通路２を押圧して、この押圧による変形した塩素水通路２を窪み部３１１に位置させるから、窪み部がないものに比べ、塩素水通路２面積の変化をより多くとれ、塩素水の微調整を図ることができ、しかも、窪み部３１１の縁部は、雄ねじ３３の先端に向かって広がるテーパー部３１１Ａを有しているから、窪み部の縁部が直角のものに比べ、雄ねじ３３の先端の押圧による塩素水通路２の損傷を防ぐことができる。
【００１７】
なお、収納部３１に位置する垂下状態の塩素水通路２は、雄ねじ３３の先端が塩素水通路２の外側に当接しない場合にあって、塩素水通路２は垂直方向に移動できるように余裕があるものであり、雄ねじ３３の先端が当接する前記垂下状態の塩素水通路２の部位を変更することができる。
これは、雄ねじ３３の先端が当接する塩素水通路２の部位を一箇所に固定せず、変更することにより、雄ねじ３３の先端が当接する塩素水通路２の部位の劣化を防ぐためである。図５は、垂直方向に移動できるように余裕がある塩素水通路２を図４の塩素水通路２の押圧した部位Ａを上方に寸法Ｘ移動させ、塩素水通路２を押圧した状態を示している。
【００１８】
また、塩素水タンク１は収納ボックス４に収納され、収納ボックス４は、外側に垂直な立設面４１を有し、立設面４１を介して本体３４が取り付けられ、ハンドル３２は、立設面４１の外に位置している（図１）。
そして、塩素水通路２の中途であって、透明部材で形成された透明塩素水通路２０が垂直な立設面４１に並設している。
なお、透明塩素水通路２０に接続された一方側の塩素水通路２は、収納ボックス４内に収納され、また、透明塩素水通路２０に接続された他方側の塩素水通路２は、収納ボックス４内に収納されると共に、中途より収納ボックス４の外に位置してポンプ（図示せず）の吸い込み側に接続されるようになっている。
塩素水通路２の外側から押圧する塩素水通路２の部位は、図２に示すように、塩素水通路２の塩素水流れにおいて、透明塩素水通路２０より上流側に位置している。そして、図１に示すように、ハンドル３２と透明塩素水通路２０が並設している。
【００１９】
このように、透明塩素水通路２０に接続された一方側の塩素水通路２は、収納ボックス４内に収納され、透明塩素水通路２０に接続された他方側の塩素水通路２は、収納ボックス４内に収納されると共に、中途より収納ボックス４の外に位置してポンプ（図示せず）の吸い込み側に接続されているため、収納ボックス４内に収納された塩素水通路は、収納ボックス４により保護され、しかも、ハンドル３２と透明塩素水通路２０が収納ボックス４の外に並設しているため、透明塩素水通路２０内の塩素水の流れを見ながらハンドル３２を操作し塩素水の微調整を図ることができる。
なお、図２に示す２１は、塩素水通路２の通路を開閉するレバーであり、２２は、塩素水通路２の圧力を測る計器である。
【符号の説明】
【００２０】
Ｓ      塩素滅菌装置
１      塩素水タンク
２      塩素水通路
３      塩素水調整手段
【図１】
2018008214.tif 000003
【図２】
2018008214.tif 000004
【図３】
2018008214.tif 000005
【図４】
2018008214.tif 000006
【図５】
2018008214.tif 000007